【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
面積と動作周波数帯域とを有し、前記動作周波数帯域内に共振モードを有するようにされたダイアフラムと、
該ダイアフラムとエネルギーを交換するように該ダイアフラムに結合された駆動部を有する電気機械式変換器と、
前記ダイアフラムに結合され又は一体化された少なくとも１つの機械インピーダンス手段と、
を備える音響装置であって、
前記変換器の駆動部及び前記少なくとも１つの機械インピーダンス手段の位置及び質量は、前記ダイアフラムの領域にわたって正味の横断方向モード速度がゼロになる傾向を生じるものであることを特徴とする音響装置。
【請求項２】
前記ダイアフラムのパラメータは、前記動作周波数帯域内に２つのダイアフラムモードがあるようにすることを特徴とする請求項１に記載の音響装置。
【請求項３】
前記動作周波数帯域はピストン−モード移行を含み、前記変換器は前記ダイアフラムを平行移動させるように適合されることを特徴とする請求項１又は請求項２に記載の音響装置。
【請求項４】
前記変換器の駆動部は、前記動作周波数帯域内のモードの平均ノード位置で前記ダイアフラムに結合されることを特徴とする前記請求項のいずれかに記載の音響装置。
【請求項５】
前記少なくとも１つの機械インピーダンス手段は、前記動作周波数帯域内のモードの平均ノード位置で前記ダイアフラムに結合され又は一体化されることを特徴とする前記請求項のいずれかに記載の音響装置。
【請求項６】
前記変換器は、前記駆動部を形成するボイスコイルと磁石システムとを有し前記動作周波数帯域内のモードの平均ノード位置で前記ボイスコイルを前記ダイアフラムに結合する手段を更に備える可動コイル装置であることを特徴とする前記請求項のいずれかに記載の音響装置。
【請求項７】
シャーシと、前記ダイアフラムを前記シャーシに結合する弾性サスペンションとを備え、前記サスペンションは、前記動作周波数帯域内のモードの平均ノード位置で前記ダイアフラムに結合されることを特徴とする前記請求項のいずれかに記載の音響装置。
【請求項８】
請求項６に従属する場合、前記磁石システムは、前記シャーシに接地されることを特徴とする請求項７に記載の音響装置。
【請求項９】
前記変換器の駆動部が前記ダイアフラムに結合される位置は、前記サスペンションが前記ダイアフラムに結合される位置とは異なる位置であることを特徴とする請求項７又は請求項８に記載の音響装置。
【請求項１０】
前記ダイアフラムは、略円形の周縁部と質量中心とを有することを特徴とする前記請求項のいずれかに記載の音響装置。
【請求項１１】
前記ダイアフラムのパラメータは、第１のダイアフラムモードが、ｋを波数、ａをダイアフラム半径としたとき、ｋａ＝２未満であることを特徴とする請求項１０に記載の音響装置。
【請求項１２】
請求項４から９のいずれか１項に従属する場合、前記又は各平均ノード位置は環状部にあり、前記ダイアフラムの直径に対する前記環状部の直径の比率は、前記動作周波数帯域内のモードの数に依存することを特徴とする請求項１０又は請求項１１に記載の音響装置。
【請求項１３】
軸方向のモードが追加として考慮されることを特徴とする請求項１２に記載の音響装置。
【請求項１４】
前記変換器の駆動部は、前記ダイアフラムの質量中心と同心円状に結合されることを特徴とする請求項１１から１３のいずれか１項に記載の音響装置。
【請求項１５】
請求項７に従属する場合、前記サスペンションは、前記ダイアフラムの質量中心と同心円状に該ダイアフラムの周縁部から離れて結合されることを特徴とする請求項１１から１２のいずれか１項に記載の音響装置。
【請求項１６】
前記少なくとも１つの機械インピーダンス手段は、環状質量体の形態であることを特徴とする請求項１１から１５のいずれか１項に記載の音響装置。
【請求項１７】
前記動作周波数帯域内のモードの平均ノード位置で前記ダイアフラムに結合され又は一体化された幾つかの環状質量体を備えることを特徴とする請求項１６に記載の音響装置。
【請求項１８】
前記ダイアフラムは、略矩形であり質量中心を有することを特徴とする請求項１から９のいずれか１項に記載の音響装置。
【請求項１９】
前記ダイアフラムのパラメータは、前記第１のダイアフラムモードがｋｌ＝４未満であるようにし、ｋは波数、ｌはダイアフラムの長さであることを特徴とする請求項１８に記載の音響装置。
【請求項２０】
請求項４から９のいずれか１項に従属する場合、前記又は各平均ノード位置は、１対の対向する位置にあり、前記ダイアフラムの全長の半分に対する前記質量中心からの各対向する位置の距離の比は、動作周波数帯域内のモードの数に依存することを特徴とする請求項１８又は請求項１９に記載の音響装置。
【請求項２１】
１対の変換器を備え、前記対の各１つが前記対向する位置の１つに装着されることを特徴とする請求項２０に記載の音響装置。
【請求項２２】
前記変換器は、該変換器の駆動部が前記２つの対向する位置を駆動するように前記ダイアフラム上の中心に装着されることを特徴とする請求項２０に記載の音響装置。
【請求項２３】
請求項７に従属する場合、前記サスペンションは、前記対向する位置に配置されることを特徴とする請求項２０から請求項２２のいずれか１項に記載の音響装置。
【請求項２４】
前記機械インピーダンス手段は、１対の質量体の形態であり、これらの各１つが、前記対向する位置の１つに位置付けられることを特徴とする請求項２０から２３のいずれか１項に記載の音響装置。
【請求項２５】
前記ダイアフラムに結合され又は一体化された幾つかの対の質量体を備えることを特徴とする請求項２４に記載の音響装置。
【請求項２６】
前記ダイアフラムはビーム形であり、前記モードは前記ビームの長軸に沿っていることを特徴とする前記請求項１８から２５のいずれか１項に記載の音響装置。
【請求項２７】
前記変換器手段の駆動部と前記少なくとも１つの機械インピーダンス手段は、前記ビームの長軸に沿って前記ダイアフラムに結合されることを特徴とする請求項２６に記載の音響装置。
【請求項２８】
前記ダイアフラムの幅に対する前記変換器の駆動部の直径の比は、例えば最も低いクロスモードを除去するものであることを特徴とする請求項１８から請求項２７のいずれか１項に記載の音響装置。
【請求項２９】
前記ダイアフラムの幅に対する前記変換器の駆動部の直径の比率は、約０．８であることを特徴とする請求項２８に記載の音響装置。
【請求項３０】
前記質量体は、前記ダイアフラムの中心に向かって値が減少することを特徴とする請求項１６又は請求項２５に記載の音響装置。
【請求項３１】
前記質量体は、前記変換器の駆動部の質量に対してスケーリングされることを特徴とする請求項１６、請求項２５、又は請求項３０に記載の音響装置。
【請求項３２】
前記ダイアフラムは、撓み波剛性に関して等方性であることを特徴とする前記請求項のいずれかに記載の音響装置。
【請求項３３】
モードを減衰させるためにダイアフラム速度が高速の場所で前記ダイアフラムに装着又は一体化された減衰手段を備えることを特徴とする前記請求項のいずれかに記載の音響装置。
【請求項３４】
請求項１０から１７のいずれか１項に従属する場合、前記減衰手段は、前記ダイアフラムの質量中心と同心円状に結合された環状パッドであることを特徴とする請求項３３に記載の音響装置。
【請求項３５】
前記変換器を前記ダイアフラムに結合する軽量の剛体カプラの形態のサイズアダプタを備えることを特徴とする前記請求項のいずれかに記載の音響装置。
【請求項３６】
前記カプラは、第１の直径で前記変換器に結合され、第２の直径で前記ダイアフラムに結合されることを特徴とする請求項３５に記載の音響装置。
【請求項３７】
前記カプラは円錐台形であることを特徴とする請求項３５又は請求項３６に記載の音響装置。
【請求項３８】
前記ダイアフラムは開口を含むことを特徴とする前記請求項のいずれか１項に記載の音響装置。
【請求項３９】
前記開口内に装着され、ある面積と動作周波数帯域とを有し、前記動作周波数帯域内に共振モードを有するようにする第２のダイアフラムと、
前記ダイアフラムに結合され該ダイアフラムとエネルギーを交換するように適合された駆動部を有する電気機械式変換器と、
前記ダイアフラムに結合され又は一体化された少なくとも１つの機械インピーダンス手段と、
を備え、
前記変換器の駆動部及び前記少なくとも１つの機械インピーダンス手段の位置決めと質量は、前記第２のダイアフラムの領域にわたる正味の横断モード速度がゼロになる傾向にあることを特徴とする請求項３８に記載の音響装置。
【請求項４０】
前記開口に装着された部材を備え、前記開口は実質上音響的にシールされることを特徴とする請求項３８に記載の音響装置。
【請求項４１】
前記ダイアフラムは、実質的に平面であることを特徴とする前記請求項のいずれかに記載の音響装置。
【請求項４２】
請求項７に従属する場合、前記サスペンションの質量は、前記変換器の駆動部の質量に対してスケーリングされることを特徴とする前記請求項のいずれか１項に記載の音響装置。
【請求項４３】
前記音響装置はラウドスピーカであり、前記変換器は、前記変換器に供給される電気信号に応答して前記ダイアフラムに撓み波エネルギーを供給するように適合されており、前記ダイアフラムは、放射領域にわたって音響音を放射するように適合されていることを特徴とする前記請求項のいずれかに記載の音響装置。